(57)【要約】【課題】筆記具がペン挿し部に挿着しやすく、クリップを有しない筆記具であっても保持することができ、挿着したペン挿し部から筆記具が抜け落ちにくく、手帳カバーの高級感をペン挿し部によって阻害してしまうことがない構造のペン挿し付きの手帳カバーを提供する。【解決手段】カバー本体２の背面部２ｃと手帳本体５の背表紙部５ａ側に、カバー本体２を閉じた状態において上方が開口し下方へ向かって先窄みとなる第一隙間部６をペン挿し部として形成し、カバー本体２の表面部２ａと手帳本体５の表紙部５ａ側との間に第一隙間部６に連続する第二隙間部７を形成し、カバー本体２を開いた状態で筆記具９を第一隙間部６へ挿通させると共に、手帳カバー２の内面に筆記具９の先端部９ａを当接させて抜け止め状態とした上で、カバー本体２を閉じることにより手帳カバー１の内面で筆記具９を挟持して保持する。【選択図】図１
2013226764.tif 000002
【特許請求の範囲】
【請求項１】
手帳本体を被覆するペン挿し付の手帳カバーであって、カバー本体の背面部と手帳本体の背表紙部側に、当該カバー本体を閉じた状態において上方が開口し下方へ向かって先窄みとなる第一隙間部をペン挿し部として形成し、前記カバー本体の表面部と前記手帳本体の表紙部側との間に前記第一隙間部に連続する第二隙間部を形成し、前記カバー本体を開いた状態で筆記具を前記第一隙間部へ挿通させると共に、前記手帳カバーの内面に筆記具の先端部を当接させて抜け止め状態とした上で、前記カバー本体を閉じることにより前記手帳カバーの内面で筆記具を挟持して保持することを特徴としたペン挿し付の手帳カバー。
【発明の詳細な説明】
【技術分野】
【０００１】
本発明は、手帳カバーに関し、さらに詳細には、筆記具を保持することができるペン挿し付きの手帳カバーに関する。
【背景技術】
【０００２】
従来より、手帳カバーの多くでは、筆記具を挿着するペン挿し部を設けて、手帳と共に筆記具の携行の利便性を向上させたものが広く普及されている。従来の手帳カバーのペン挿し構造の多くは、特開２０００−３３５１７９号公報にあるように、外カバーの側端部側に設けた輪状のベルトに筆記具を挿着する構造や、実公平７−５５０９９号公報にあるように、背表紙部と手帳との間に空間部を設けて、空間部に筆記具を挿着する構造が一般的である。
【０００３】
しかしながら特開２０００−３３５１７９号公報のように、環状のベルト部材に筆記具を挿着させる構造では、カバー本体が皮革製で高級感を備えていても、一部だけがカバー本体から突出しているベルト部材や、ベルト部材に挿着した状態で大部分が露出する筆記具のために見栄えを悪くしてしまうことがあり、また手帳をカバンなどに入れる際に、ベルトに挿着した筆記具のペン先でカバンの中のほかの荷物を傷付けてしまうことが心配であったり、あるいは筆記具がベルトを支点に回転してベルトが取れてしまう虞があった。さらに、特開２０００−３３５１７９号公報に記載の形態でも、実公平７−５５０９９号公報に記載の形態でも、手帳の一部を筆記具のクリップで挟持させる構造であることから、クリップが存在しない筆記具を手帳に対して保持させることが困難であり、例え筆記具の外径に合わせて保持部の寸法が調整できる構造としても、その調整を行う必要があり手間が掛かっていた。
【先行技術文献】
【特許文献】
【０００４】
【特許文献１】特開２０００−３３５１７９号公報
【特許文献２】実公平７−５５０９９号公報
【発明の概要】
【発明が解決しようとする課題】
【０００５】
本発明はこうした問題を鑑みて、ペン挿し部が強度的に優れると共に、手帳をカバンなどに入れて携行する場合においても、カバンの中のほかの荷物を、ペン挿し部に挿着した筆記具のペン先で傷付けてしまうことを防ぎ、また筆記具がペン挿し部に挿着しやすく、クリップを有しない筆記具であっても保持することができ、挿着したペン挿し部から筆記具が抜け落ちにくく、手帳カバーの高級感をペン挿し部によって阻害してしまうことがない構造のペン挿し付きの手帳カバーを提供することを目的とする。
【課題を解決するための手段】
【０００６】
本発明は、
「手帳本体を被覆するペン挿し付の手帳カバーであって、カバー本体の背面部と手帳本体の背表紙部側に、当該カバー本体を閉じた状態において上方が開口し下方へ向かって先窄みとなる第一隙間部をペン挿し部として形成し、前記カバー本体の表面部と前記手帳本体の表紙部側との間に前記第一隙間部に連続する第二隙間部を形成し、前記カバー本体を開いた状態で筆記具を前記第一隙間部へ挿通させると共に、前記手帳カバーの内面に筆記具の先端部を当接させて抜け止め状態とした上で、前記カバー本体を閉じることにより前記手帳カバーの内面で筆記具を挟持して保持することを特徴としたペン挿し付の手帳カバー。」である。
【０００７】
本発明における第一隙間部はペン挿し部とすることから、カバー本体を若干開いた状態で上方の開口部から筆記具が挿通できるようにする必要があり、具体的には軸径が６ｍｍ〜１５ｍｍ程度とされている一般的な軸径の筆記具が入る寸法にする必要がある。また、カバー本体の背面部の下方は、手帳本体の背表紙部に対して接触していても離れていてもよいが、カバー本体を若干開いて第二隙間部を拡げた状態で筆記具を第一隙間部へ挿通させた際に、筆記具がカバー本体の下方から抜け落ちてしまわないようにすることが肝要である。また、第一隙間部をカバー本体の上下方向における略全長に渡って形成することで、ペン挿し部がカバー本体に対して一体的となり、手帳用の筆記具などの短い軸筒の筆記具を挿着する場合には、筆記具の全てをペン挿し部内に収容させることが可能となるので、持ち運びの利便性が向上すると共に、デザイン的にも優れたものとなる。また第一隙間部は、手帳本体の背表紙部とカバー本体の背面部との間に直接設けても、カバー本体の裏面側に内カバーを設けて手帳本体の背表紙部と内カバーの背面部との間に設けてもよく、あるいはカバー本体の背面部と内カバーの背面部との間に設けてもよい。また第二隙間部は、手帳本体の表表紙側と裏表紙側の両方に設けても何れか一方のみに設けてもよく、手帳本体の表紙部とカバー本体の表面部との間に直接設けても、カバー本体の裏面側に内カバーを設けて手帳本体の表紙部と内カバーの内表面部との間に設けてもよく、あるいはカバー本体の表面部と内カバーの表表面部との間に設けてもよい。要は、第一隙間部と第二隙間部とを連続させることにより、手帳カバーを開いた状態で第一隙間部の隙間が拡がって、筆記具を挿着しやすくすることが重要である。カバー本体や内カバーは、一般的に手帳カバーで使用されている天然皮革や合皮、あるいは樹脂シートなどの可撓性を有する素材で成形すればよい。
【発明の効果】
【０００８】
本発明は、ペン挿し部を手帳カバーの背面側に設けることで、本棚のような置き場所に手帳を並べる場合においても、ペン挿し部に挿着してある筆記具が邪魔になることがなく、筆記具の先端部が第一隙間部であるペン挿し部に収ることから、手帳をカバンなどに入れて携行する場合においても、ペン挿し部に挿着した筆記具のペン先によってカバンの中のほかの荷物を傷付けてしまうことを防止できるものとなる。また、カバー本体の背面部の内面で筆記具を挟持して保持する構造であることから、クリップを有しない筆記具であってもペン挿し部に保持させることができ、ペン挿し部がカバー本体と一体的になることから、手帳カバーの高級感を損なうことがないものとなった。
【図面の簡単な説明】
【０００９】
【図１】図１は、手帳本体に本実施例の手帳カバーを被覆し、細径の筆記具をペン挿し部に保持させる状態を示す斜視図である。
【図２】図２は、手帳本体に本実施例の手帳カバーを被覆して手帳本体及びカバー本体を開いた状態を示した平面図である。
【図３】図３は、ペン挿し部に細径の筆記具を挿着させる状態を示した概念図である。
【図４】図４は、手帳カバーで細径の筆記具を保持させた状態を示す図である。
【図５】図５は、手帳カバーから細径の筆記具を外す状態を示す図である。
【図６】図６は、ペン挿し部に太径の筆記具を挿着させる状態を示した概念図である。
【発明を実施するための形態】
【００１０】
次に図面を参照しながら実施例の説明を行う。図中の同じ部材、同じ部品については、同じ符号としてある。本発明は以下の実施例に限定されるものではない。尚、手帳カバーの説明において、ペン挿し部に筆記具を挿入させる開口部がある側を上方と表現し、その反対側を下方と表現する。また手帳カバーを開いた状態で手帳本体側から見た時の図面の左側を一方と表現し右側を他方と表現する。
【００１１】
図１から図３を用いて本実施例の手帳カバーについて説明を行う。図１は、手帳本体に本実施例の手帳カバーを被覆した状態の図であり、図に示すように本実施例の手帳カバー１は、カバー本体２の内側に内カバー３を設けてあり、カバー本体２の一方側の表面部２ａと内カバー３の一方側の表面部３ａとを縫着部４ａで縫着し、カバー本体２の他方側の表面部２ｂと内カバー３の他方側の表面部３ｂとを縫着部４ｂで縫着して一体としてある。尚、本実施例の手帳カバー１は、図２に示すように、内カバー３の内側の一方側及び他方側に一対のポケット３ｃ，３ｄを設けてあり、手帳本体５の一方側の表表紙５ａ及び他方側の裏表紙５ｂをポケット３ｃ，３ｄへ差し込むことによって、手帳本体５に手帳カバー１を装着して被覆するようにしてある。また本実施例の手帳用カバー１は、手帳本体５の背表紙部５ｃに位置するカバー本体２の背面部２ｃと内カバー３の背面部３ｅとの間に第一隙間部６をペン挿し部６０として設けてあり、カバー本体２の一方側の表面部２ａと内カバー３の一方側の表面部３ａとの間及びカバー本体２の他方側の表面部２ｂと内カバー３の他方側の表面部３ａとの間に第二隙間部７，８を設けてある。尚、本実施例のカバー本体２及び内カバー３は牛革で成形してある。
【００１２】
次に、本実施例の手帳カバー１に、軸径が８ｍｍである細身の筆記具９を保持させる状態について説明を行う。図１に示すように手帳カバー１は、カバー本体２を若干開いて第二隙間部７，８を拡げた状態で、第一隙間部６が第二隙間部７，８と連続して隙間が拡がることから、第一隙間部６の上方にある開口部６ａよりペン挿し部６０へ筆記具９を容易に挿着させることができた。このとき筆記具９は、先端部９ａが手帳カバー１の外カバー２と内カバー３との間に当接されるので、手帳カバー１の下方から筆記具９が抜け落ちることを防止できる。また図１の状態で手帳カバー１を閉じることにより、外カバー２の背面部２ｃの内面と内カバー３の背面部３ｅの外面との間で筆記具９が挟持されて、図４のように筆記具９を容易に保持させることができた。また図示しないが、この状態で手帳カバー１の開口部６ａを下に向けても、外カバー２の背面部２ｃの内面と内カバー３の背面部３ｅの外面との間で筆記具９が挟持されていることから、手帳カバー１のペン挿し部６０から筆記具９が脱落することはなかった。
【００１３】
次に図５を用いて、手帳カバー１から筆記具９を取り外す状態について説明を行う。図に示すように、手帳カバー１を若干開くことで、筆記具９が外カバー２の背面部２ｃの内面と内カバー３の背面部３ｅの外面との挟持から開放され、筆記具９を簡単に取り外すことができた。
【００１４】
尚、本実施例の手帳カバー１は、筆記具のペン挿し部６０である第一隙間部６が先窄み形状になっていることから、前述の細径の筆記具９以外にも、図６に示すように軸径が１５ｍｍである太径の筆記具１０を同様に保持することができる。この場合、前述の細径の筆記具９に比べて筆記具１０の先端部１０ａが太いことから、先端部１０ａがペン挿し部６０の上の方の位置で外カバー２と内カバー３との間に当接され、図３の細径の筆記具９より上の位置で手帳カバー１に保持されることとなる。
【産業上の利用可能性】
【００１５】
本発明による構造は、 本を被覆するブックカバーに用いることも可能である。
【符号の説明】
【００１６】
１…手帳カバー、
２…カバー本体、２ａ…一方側の表面部、２ｂ…他方側の表面部、
２ｃ…背面部、
３…内カバー、３ａ…一方側の表面部、３ｂ…他方側の表面部、
３ｃ，３ｄ…ポケット、３ｅ…背面部、
４ａ，４ｂ…縫着部、
５…手帳本体、５ａ…一方側の表表紙部、５ｂ…他方側の裏表紙部、
５ｃ…背表紙部、
６…第一隙間部、６ａ…開口部、６０…ペン挿し部、
７，８…第二隙間部、
９…細径の筆記具、９ａ…先端部、
１０…太径の筆記具、１０ａ…先端部。
【図１】
2013226764.tif 000003
【図２】
2013226764.tif 000004
【図３】
2013226764.tif 000005
【図４】
2013226764.tif 000006
【図５】
2013226764.tif 000007
【図６】
2013226764.tif 000008